(57)【要約】【課題】本考案は、バッティング技術向上のためのバッティングトレーニング、ピッチング技術向上のためのピッチングトレーニングを効果的に行なうことができる簡略構成からなる野球用トレーニング用具を提供する。【解決手段】本考案の野球用トレーニング用具１は、野球用バットのグリップ部と同様な把持部３を有する把持体２と、この把持体２のグリップ部２とは反対側の端部に取り付けた略直方体状の重量体４とを有し、この重量体４は、表裏平行配置に二つの平坦な打球面５、６を備え、突出端側の一方の隅部に把持体２の長さ方向に突出する第一重量付加部７を、突出端側の他方の隅部に把持体２の長さ方向とは直交する方向に突出する第二重量付加部８を備えるものである。【選択図】図１
0003128354.tif 000002
【実用新案登録請求の範囲】
【請求項１】
把持部を有する把持体と、
この把持体の把持部とは反対側の端部に取り付けた塊（かたまり）状の重量体とを有する野球用トレーニング用具であって、
前記重量体は、表裏配置に二つの平坦な打球面を備えることを特徴とする野球用トレーニング用具。
【請求項２】
野球用バットのグリップ部と同様な把持部を有する把持体と、
この把持体の前記グリップ部とは反対側の端部に取り付けた略直方体状の重量体とを有する野球用トレーニング用具であって、
前記重量体は、表裏平行配置に二つの平坦な打球面を備えることを特徴とする野球用トレーニング用具。
【請求項３】
野球用バットのグリップ部と同様な把持部を有する把持体と、
この把持体の前記グリップ部とは反対側の端部に取り付けた略直方体状の重量体とを有する野球用トレーニング用具であって、
前記重量体は、表裏平行配置に二つの平坦な打球面を備え、突出端側の一方の隅部に前記把持体の長さ方向に突出する第一重量付加部を、突出端側の他方の隅部に前記把持体の長さ方向とは直交する方向に突出する第二重量付加部を備えることを特徴とする野球用トレーニング用具。
【請求項４】
野球用バットのグリップ部と同様な把持部を有する把持体と、
この把持体の前記グリップ部とは反対側の端部に取り付けた略直方体状の重量体とを有する野球用トレーニング用具であって、
前記把持体はグラスファイバ製又は木製で、重量体までの長さが５００乃至９００ｍｍに形成され、
前記重量体は、表裏平行配置に二つの平坦な打球面を備え、突出端側の一方の隅部に前記把持体の長さ方向に突出する第一重量付加部を、突出端側の他方の隅部に前記把持体の長さ方向とは直交する方向に突出する第二重量付加部を備え、重量１．０乃至４ｋｇの金属製からなることを特徴とする野球用トレーニング用具。
【考案の詳細な説明】
【技術分野】
【０００１】
本考案は、バッティング技術向上のためのバッティングトレーニング、ピッチング技術向上のためのピッチングトレーニングを効果的に行なうことができる簡略構成からなる野球用トレーニング用具に関するものである。
【背景技術】
【０００２】
従来から野球技術の向上を目指す打者は、試合用バットよりやや重量の大きい素振り用バットを使用して素振りを行なうことでバッティングトレーニングをし、また、投手はピッチング技術向上のために例えばシャドウピッチング等のピッチングトレーニングをして練習に励んでいる。
しかし、これらの方法では、野球競技に必要な基本的体力の増強、故障防止のための筋力等の鍛錬を効果的に行なうことは難しい。
【０００３】
特許文献１には、素振り練習用バットの本体におけるヘッド部とこのグリップ部との間に、透明体からなる円筒状連結部を設け、この円筒状連結部の内部に移動可能に球を内蔵してバットスイング時における球の移動状態を見ることでバッティングの良し悪しを判定するように構成した素振り練習用バットが提案されている。
【０００４】
しかし、この素振り練習用バットの場合、本体におけるヘッド部とグリップ部との間に、円筒状連結部を設け、その内部に移動可能に球を内蔵しなければならず、構成が複雑化するとともに、野球競技に必要な基本的体力の増強や、故障防止のための筋力等の鍛錬を行なうことは困難である。
【特許文献１】特開２００４−０４１４５０号公報
【考案の開示】
【考案が解決しようとする課題】
【０００５】
本考案が解決しようとする課題は、バッティング技術向上のためのバッティングトレーニング、ピッチング技術向上のためのピッチングトレーニングはもちろんのこと、野球競技に必要な基本的体力の増強、故障防止のための筋力等の鍛錬を効果的に行なうことができる簡略構成からなる野球用トレーニング用具が存在しない点である。
【課題を解決するための手段】
【０００６】
本考案の野球用トレーニング用具は、把持部を有する把持体と、この把持体の把持部とは反対側の端部に取り付けた塊（かたまり）状の重量体とを有する野球用トレーニング用具であり、前記重量体は、表裏配置に二つの平坦な打球面を備えることを最も主要な特徴とする。
【考案の効果】
【０００７】
本考案によれば、以下の効果を奏する。
請求項１記載の考案によれば、投手又は打者が端部に塊（かたまり）状の重量体を取り付けた把持体の把持部を握り、バットスイング又はピッチング動作を行なうことで、打者は左打者、右打者を問わずバッティング技術向上のためのバッティングトレーニングを、投手はピッチング技術向上のためのピッチングトレーニングを効果的に行なうことができ、更に、野球競技に必要な基本的体力の増強、故障防止のための筋力等の鍛錬をも効果的に行なうことができる野球用トレーニング用具を提供することができる。
【０００８】
請求項２記載の考案によれば、把持体を野球用バットのグリップ部と同様な把持部を有する構成とし、重量体を略直方体状で表裏に平行配置に二つの平坦な打球面を備える構成として、請求項１記載の考案の場合と同様、打者は左打者、右打者を問わずバッティング技術向上のためのバッティングトレーニングを、投手はピッチング技術向上のためのピッチングトレーニングを効果的に行なうことができ、更に、野球競技に必要な基本的体力の増強、故障防止のための筋力等の鍛錬をも効果的に行なうことができる野球用トレーニング用具を提供することができる。
【０００９】
請求項３記載の考案によれば、把持体を野球用バットのグリップ部と同様な把持部を有する構成とし、重量体を略直方体状で表裏に平行配置に二つの平坦な打球面を備え、更に突出端側の一方の隅部に前記把持体の長さ方向に突出する第一重量付加部を、突出端側の他方の隅部に前記把持体の長さ方向とは直交する方向に突出する第二重量付加部を備える構成として、請求項１又は２記載の考案の場合と同様、打者は左打者、右打者を問わずバッティング技術向上のためのバッティングトレーニングを、投手はピッチング技術向上のためのピッチングトレーニングを効果的に行なうことができ、更に、野球競技に必要な基本的体力の増強、故障防止のための筋力等の鍛錬をも効果的に行なうことができる野球用トレーニング用具を提供することができる。
【００１０】
請求項４記載の考案によれば、請求項３記載の考案の構成に加えて、把持体をグラスファイバ製又は木製で、重量体までの長さが５００乃至９００ｍｍの構成、重量体を重量１．０乃至４ｋｇの金属製として、請求項１、２又は３記載の考案の場合と同様、打者は左打者、右打者を問わずバッティング技術向上のためのバッティングトレーニングを、投手はピッチング技術向上のためのピッチングトレーニングを効果的に行なうことができ、更に、野球競技に必要な基本的体力の増強、故障防止のための筋力等の鍛錬をも効果的に行なうことができる野球用トレーニング用具を提供することができる。
なお、把持体と重量体までの長さが８００乃至９００ｍｍ位の構成で、重量体を重量２．５乃至４ｋｇ位の構成としてこのトレーニング用具を形成した場合、プロ野球、社会人野球、大学生野球、中学生野球の夫々の選手用として好都合であり、把持体と重量体までの長さが６００ｍｍ位の構成で、重量体を重量１．０ｋｇ位の構成としてこのトレーニング用具を形成した場合、小学生野球の選手用として好都合である。
【考案を実施するための最良の形態】
【００１１】
本考案は、バッティング技術向上のためのバッティングトレーニング、ピッチング技術向上のためのピッチングトレーニングはもちろんのこと、野球競技に必要な基本的体力の増強、故障防止のための筋力等の鍛錬を効果的に行なうことができる簡略構成からなる野球用トレーニング用具を提供するという目的を、野球用バットのグリップ部と同様な把持部を有する把持体と、この把持体の前記グリップ部とは反対側の端部に取り付けた略直方体状の重量体とを有する野球用トレーニング用具であって、前記重量体は、表裏平行配置に二つの平坦な打球面を備え、突出端側の一方の隅部に前記把持体の長さ方向に突出する第一重量付加部を、突出端側の他方の隅部に前記把持体の長さ方向とは直交する方向に突出する第二重量付加部を備える構成により実現した。
【実施例】
【００１２】
以下に、本考案の実施例に係る野球用トレーニング用具１について図１乃至図６を参照して詳細に説明する。
【００１３】
本実施例に係る野球用トレーニング用具１は、図１、図２に示すように、野球用バットのグリップ部と同様な丸棒状の把持部３を有する把持体２と、この把持体２の前記グリップ部３とは反対側の端部に取り付けた略直方体状の重量体４とを有している。
前記把持体２はグラスファイバ製又は木製で、その端部から重量体４までの長さＬが８００乃至９００ｍｍに形成されている。この長さＬが８００ｍｍ未満では、短すぎてバッティング等の練習効果が期待できず、また、前記長さＬが９００ｍｍを超えると、長すぎてバットスイング等が困難になる。
【００１４】
前記重量体４は、例えば鉄材からなる金属製で、重量２．５乃至４ｋｇの範囲に設定されている。重量体４の重量が２．５ｋｇ未満では、軽くてバットスイング等による筋肉強化鍛錬が不十分となる。また、重量体４の重量が４ｋｇを超えると、重過ぎてバットスイング等が困難になる。
前記把持体と重量体までの長さを８００乃至９００ｍｍ位の構成とし、前記重量体を重量２．５乃至４ｋｇ位の構成としてこのトレーニング用具を形成した場合、プロ野球、社会人野球、大学生野球、中学生野球の夫々の選手用として好都合である。
なお、本考案においては、前記把持体と重量体までの長さを６００ｍｍ位の構成とし、前記重量体を重量１．０ｋｇ位の構成としてこのトレーニング用具を形成して実施することもでき、この場合のトレーニング用具は、小学生野球の選手用として好都合である。
【００１５】
また、前記重量体４は、表裏平行配置に二つの平坦な打球面５、６を備え、更に、その突出端側の一方の隅部（図１において右側の隅部）に前記把持体２の長さ方向に突出する弧状曲面を持った第一重量付加部７を、突出端側の他方の隅部（図１において左側の隅部）に前記把持体２の長さ方向とは直交する方向に突出する弧状曲面を持った第二重量付加部８を備えている。前記第一重量付加部７は、前記重量体４の肉厚方向の厚さが小寸法に形成されている。また、第二重量付加部８は、前記重量体４の肉厚方向全域に亘って形成されている。
【００１６】
前記野球用トレーニング用具１の変形例としては、図１５に示すような野球用トレーニング用具１Ａを挙げることができる。この野球用トレーニング用具１Ａは、前記野球用トレーニング用具１と略同様な構成であるが、重量体４の隅部を無くしその形状を多角形状としたことが特徴である。
【００１７】
次に、本実施例に係る野球用トレーニング用具１を使用した主として野球競技の技術向上のためのトレーニング手法について場合を分けて説明する。
【００１８】
（１）基本トレーニング
野球技術向上のための基本トレーニングを行なう場合には、図７に示すように、例えば打者ＢＭが野球用トレーニング用具１の把持部３を両手で握り、重量体４を先方に付き出した状態でこの重量体４が腰の部分から頭部正面に至る８の字の軌跡を描くように振る。
【００１９】
これにより、打者ＢＭは自身の手根骨、中手骨、指骨、小指内側の尺骨、親指外側の橈骨（どうこつ）等からなる手骨の強化を図ることができる。
【００２０】
また、手骨の強化の他、肘の強化、肘の柔軟性の向上、肩甲骨の強化及び柔軟性の向上を図ることもできる。
【００２１】
また、打者ＢＭは、自身の体の正面側の前鋸筋、体の裏側の大円筋、更には小円筋、三角筋を鍛錬することができ、肩が強化されるとともに柔軟性も向上する。
更に、打者ＢＭの腹部の腹横筋、外腹筋も鍛錬され、腰の切れが良くなり、体型のスリム化にも繋がる。
【００２２】
これらにより、野球技術向上のための基本的な骨の強化、柔軟性の向上が実現し、バッティングに必要な基本的な体力の増強を実現することができる。
【００２３】
（２）バッティングトレーニング
野球技術向上のためのバッティングトレーニングを行なう場合には、図８に示すように、例えば左打者ＢＭＬが野球用トレーニング用具１の把持部３を両手で握り、前記第一重量付加部７を下側、第二重量付加部８を上側とし、打球面５をスイング方向前方とした状態で野球用トレーニング用具１をティーバッティング又はトスバッティングの要領でスイングする。
【００２４】
これにより、左打者ＢＭＬは、自身の腹筋、背筋を強化でき、また、腹直筋の肥満も防止され、これらにより、筋肉のつなぎの連動性、へその強化による気力の充実を図ることができるとともに、握力も強化される。
【００２５】
また、左打者ＢＭＬは、バットスイングに際して、アッパースイング、ダウンスイング、レベルスイングの各スイング姿勢を任意に選択でき、各スイング姿勢でティーバッティング又はトスバッティングのようなスイング練習した場合、各々スイングスピードが向上し、顕著なバッティング練習効果を上げることができる。
【００２６】
更に、上述したスイング練習を行なうことにより、下半身も強化され、バットスイング時の膝の開きをなくすこともできる。
【００２７】
図９は右打者ＢＭＲが、野球用トレーニング用具１の把持部３を両手で握り、前記第一重量付加部７を下側、第二重量付加部８を上側とし、打球面６をスイング方向前方とした状態で野球用トレーニング用具１をティーバッティング又はトスバッティングの要領でスイングする状態を示すものである。
【００２８】
この場合においても、右打者ＢＭＲは、自身の腹筋、背筋を強化でき、また、腹直筋の肥満も防止され、これらにより、筋肉のつなぎの連動性、へその強化による気力の充実を図ることができるとともに、握力も強化される。
【００２９】
また、右打者ＢＭＲは、バットスイングに際して、アッパースイング、ダウンスイング、レベルスイングの各スイング姿勢を任意に選択でき、各スイング姿勢でティーバッティング又はトスバッティングのようなスイング練習した場合、各々スイングスピードが向上し、顕著なバッティング練習効果を上げることができる。
【００３０】
更に、上述したスイング練習を行なうことにより、下半身も強化され、バットスイング時の膝の開きをなくすこともできる。
【００３１】
（３）ピッチングトレーニング
野球技術向上のためのピッチングトレーニングについて、図１０、図１１を参照して説明する。
【００３２】
左投手ＰＭＬ又は右投手ＰＭＲが投球態勢に入り、ボールをリリースする時に一番力が入る筋肉として、親指外側の橈骨、小指側の天骨があるが、例えば図１０に示すように、左投手ＰＭＬが野球用トレーニング用具１の把持部３を左手で把持して投球スイング練習を行なうことにより、橈骨や天骨が強化される。また、手根骨や指根骨の強化にも繋がるとともに、肩部分の三角筋や背中の僧帽筋の強化にも繋がる。
【００３３】
更に、肘の強化及び柔軟性の向上を図り、また、投球態勢途中の膝の開きをなくし、腰や背中の柔軟性も増して滑らかな投球フォームを会得する訓練も行なうことができる。
【００３４】
また、左投手ＰＭＬは、上述したピッチングトレーニングを行なうことにより、腰の安定性の向上（足の部分が浮き上がらない）、肘の柔軟性の向上（腕を振るとき肘が前に出てジャンプしない）、左肩と右肩の入れ替えの円滑化によるボールの出所の見えにくさという特性の向上、肩の回転のスピード向上によるリリースのスピードアップ、右手の引きのスピードアップ、コントロールの正確さ等、ピッチング能力の総合的な増強を実現できる。
【００３５】
左投手ＰＭＬの場合、フォロースローにおいて、地面に対して腕を振り終わった時に頭の位置が右足の１０ｃｍ位上方にあるのが正しいフォームとされているが、上述したピッチングトレーニングを行なうことにより、このような正しいフォームを会得することもできる。
なお、図１０に示す状態で左投手ＰＭＬがピッチングトレーニング行う場合、左側の腰の部分を右側の腰の部分にぶつけるような感じで行うと、上述した諸効果を一層効率的に実現できる。
更に、図１０に示す状態で左投手ＰＭＬがピッチングトレーニング行う場合、予めグローブを外しておき、この野球用トレーニング用具１を図１０の状態から更に振り下ろす際、右手で図１０に示す把持部３の端部を握りながらフィニッシュの状態とするようにしてトレーニングしても良い（図示せず）。また、図１０に示す状態で左投手ＰＭＬがピッチングトレーニング行う場合、予めグローブを外しておき、予め右手で図１０に示す把持部３の端部を握りながら、この野球用トレーニング用具１を図１０の状態から振り下ろしながらフィニッシュの状態とするようにしてトレーニングしても良い（図示せず）。
【００３６】
右投手ＰＭＲが、図１１に示すように、前記野球用トレーニング用具１の把持部３を右手で把持して投球スイング練習を行なう場合も上述した左投手ＰＭＬの場合と全く同様である。
【００３７】
（４）剣道型トレーニング
例えば打者ＢＭが、前記野球用トレーニング用具１を使用して剣道型トレーニングを行い、肩甲骨、三角筋、背髄、背筋、腹筋等を鍛錬することもできる。
【００３８】
すなわち、図１２に示すように、前記野球用トレーニング用具１の把持部３を両手で把持し、剣道の竹刀を振るように振り上げ、振り下げることで、打者ＢＭ自身の肩甲骨を前後に動かす。
【００３９】
肩甲骨を前後に動かすことによって、マッサージ効果が発揮され故障防止に繋がるとともに、肩甲骨が強化され、また柔軟性も増し、これにより、投球スピードのアップ、コントロールの正確さ向上を図ることができる。
【００４０】
また、打者ＢＭ自身の三角筋も強化され、強い肩を作れるととも、背髄、背筋、腹筋等の強化、柔軟性向上をも図ることができる。
【００４１】
（５）故障防止用トレーニング
野球技術向上のために最も重要であり、かつ、故障防止の観点から、人体の頸柱、背柱、腰柱の柔軟性が必要である。また、膝の関節前側にある膝蓋骨や蓋靭帯の強化を通じて足裏の強化（足裏の安定性）増強も必要である。
【００４２】
故障防止用の基本的なトレーニングとして、野球用トレーニング用具１を両手で把持して肩又は腰を回転させると効果的である。
【００４３】
具体的には、図１３に示すように、例えば打者ＢＭが野球用トレーニング用具１の重心位置を左手で、把持体２の端部側を右手で持ち、肩を任意角度回転させる。
これにより、肩甲骨が回転運動により強化され、柔軟性も増加し、故障防止を図ることがでる。
【００４４】
同様に、野球用トレーニング用具１の重心位置を左手で、把持体２の端部側を右手で持ち、腰を任意角度回転させる。これにより、腹筋や背筋が回転運動により強化され、柔軟性も増加し、故障防止を図ることができる。
【００４５】
加えて、打者ＢＭは打球の飛距離アップを、図示しないが投手は投球スピードのアップを図ることができる。野球用トレーニング用具１の持ち手を左右入れ替えて同様な動作を行なった場合も上述した場合と同様である。
【００４６】
また、図１４に示すように、例えば左投手ＰＭＬが野球用トレーニング用具１の重心位置を左手で握り、左右に振るトレーニングを行なうことで、左投手ＰＭＬ自身の三角筋が強化され、故障防止を図ることができる。更には、左投手ＰＭＬ自身の小円筋、前鋸筋の強化を通じて故障防止を図ることができる。右投手ＰＭＲの場合も同様である。
【００４７】
図１５に示す変形例の野球用トレーニング用具１Ａを使用する場合も、上述した野球用トレーニング用具１を使用する場合と全く同様な作用、効果を発揮させることができる。
【産業上の利用可能性】
【００４８】
本考案の野球用トレーニング用具は、バッティング等の野球技術の向上のために使用する他、例えばテニス、ゴルフ、バドミントン、卓球等の用具を使用する球技の技術向上に幅広く応用することが可能である。
【図面の簡単な説明】
【００４９】
【図１】本考案の実施例に係る野球用トレーニング用具の正面図である。
【図２】本実施例に係る野球用トレーニング用具の背面図である。
【図３】本実施例に係る野球用トレーニング用具の右側面図である。
【図４】本実施例に係る野球用トレーニング用具の左側面図である。
【図５】本実施例に係る野球用トレーニング用具の平面図である。
【図６】図１のＡ−Ａ線断面図である。
【図７】本実施例に係る野球用トレーニング用具により基本トレーニングを行なう場合の概略説明図である。
【図８】本実施例に係る野球用トレーニング用具により左打者がバッティングトレーニングを行なう場合の概略説明図である。
【図９】本実施例に係る野球用トレーニング用具により右打者がバッティングトレーニングを行なう場合の概略説明図である。
【図１０】本実施例に係る野球用トレーニング用具により左投手がピッチングトレーニングを行なう場合の概略説明図である。
【図１１】本実施例に係る野球用トレーニング用具により右投手がピッチングトレーニングを行なう場合の概略説明図である。
【図１２】本実施例に係る野球用トレーニング用具により剣道型トレーニングを行なう場合の概略説明図である。
【図１３】本実施例に係る野球用トレーニング用具により故障防止用トレーニング（両手持ち）を行なう場合の概略説明図である。
【図１４】本実施例に係る野球用トレーニング用具により故障防止用トレーニング（片手持ち）を行なう場合の概略説明図である。
【図１５】本考案の変形例に係る野球用トレーニング用具の平面図である。
【符号の説明】
【００５０】
１    野球用トレーニング用具
１Ａ  野球用トレーニング用具
２    把持体
３    把持部
４    重量体
５    打球面
６    打球面
７    第一重量付加部
８    第二重量付加部
ＢＭ    打者
ＢＭＬ  左打者
ＢＭＲ  右打者
ＰＭＬ  左投手
ＰＭＲ  右投手
【図１】
0003128354.tif 000003
【図２】
0003128354.tif 000004
【図３】
0003128354.tif 000005
【図４】
0003128354.tif 000006
【図５】
0003128354.tif 000007
【図６】
0003128354.tif 000008
【図７】
0003128354.tif 000009
【図８】
0003128354.tif 000010
【図９】
0003128354.tif 000011
【図１０】
0003128354.tif 000012
【図１１】
0003128354.tif 000013
【図１２】
0003128354.tif 000014
【図１３】
0003128354.tif 000015
【図１４】
0003128354.tif 000016
【図１５】
0003128354.tif 000017